(57)【要約】【課題】照射される光の方向及び範囲に関する自由度の向上を図る。【解決手段】灯具ユニット２は、光を出射する光源７と、回転軸Ａを支点として回転され光源から出射された光を反射する複数の反射面８ａ、８ｂ、８ｃ、８ｄ、８ｅ、８ｆを有する回転リフレクタ８と、複数の反射面で反射された光が入射され入射された光を制御する光制御部材９とを備えた。複数の反射面の回転軸に対する角度がそれぞれ異なり光制御部材に入射される光の入射位置が回転リフレクタの回転位置に応じて変化されるため、回転リフレクタが回転されたときに照射される光の方向及び範囲が限定されず、回転リフレクタで反射されて照射される光の方向及び範囲に関する自由度の向上を図ることができる。【選択図】図３
2014207167.tif 000002
【特許請求の範囲】
【請求項１】
カバーとランプハウジングによって形成された灯具外筐の内部に灯具ユニットを備えた車輌用灯具であって、
前記灯具ユニットは、
光を出射する光源と、
回転軸を支点として回転され前記光源から出射された光を反射する複数の反射面を有する回転リフレクタと、
前記複数の反射面で反射された光が入射され入射された光を制御する光制御部材とを備え、
前記複数の反射面の前記回転軸に対する角度がそれぞれ異なり前記光制御部材に入射される光の入射位置が前記回転リフレクタの回転位置に応じて変化されるようにした
車輌用灯具。
【請求項２】
前記光源が回転リフレクタの回転位置に応じて点消灯又は調光する
請求項１に記載の車輌用灯具。
【請求項３】
前記光制御部材は固定リフレクタである
請求項１又は請求項２に記載の車輌用灯具。
【請求項４】
前記光制御部材は入射された光が照射方向において水平線よりも下側に集光されるように光を制御する
請求項１、請求項２又は請求項３に記載の車輌用灯具。
【請求項５】
前記各反射面で反射され前記光制御部材によって制御されて照射領域に照射された光が、前記照射領域において前記各反射面ごとにそれぞれ直線状にされた
請求項１、請求項２、請求項３又は請求項４に記載の車輌用灯具。
【発明の詳細な説明】
【技術分野】
【０００１】
本発明は、反射面が形成された回転リフレクタと回転リフレクタで反射された光を制御する光制御部材とを有する車輌用灯具についての技術分野に関する。
【先行技術文献】
【特許文献】
【０００２】
【特許文献１】特表２００８−５３９５３７号公報
【背景技術】
【０００３】
車輌用灯具には、例えば、カバーとランプハウジングによって構成された灯具外筐の内部に、光源を有する灯具ユニットが配置されたものがある。
【０００４】
このような灯具ユニットには、光源から出射された光が回転リフレクタによって反射される構成にされたものがある。このような構成として、例えば、回転軸を支点として回転可能であって複数のミラー面（反射面）を有するポリゴンホイールミラーが回転リフレクタとして設けられたものがある（例えば、特許文献１参照）。
【０００５】
特許文献１に記載された車輌用灯具にあっては、ポリゴンホイールミラーの回転に伴って各ミラー面に光源から出射された光が出射されるため、ミラー面で反射されて照射される光の方向及び範囲を変更することができる。
【発明の概要】
【発明が解決しようとする課題】
【０００６】
ところが、特許文献１に記載された車輌用灯具にあっては、光を反射する複数の反射面が回転軸に対して平行に形成されているため、回転リフレクタが回転されたときに照射される光の方向及び範囲が限定されてしまい、これらの自由度が低いという問題があった。
【０００７】
そこで、本発明車輌用灯具は、回転リフレクタで反射されて照射される光の方向及び範囲に関する自由度の向上を図ることを目的とする。
【課題を解決するための手段】
【０００８】
第１に、本発明に係る車輌用灯具は、カバーとランプハウジングによって形成された灯具外筐の内部に灯具ユニットを備え、前記灯具ユニットは、光を出射する光源と、回転軸を支点として回転され前記光源から出射された光を反射する複数の反射面を有する回転リフレクタと、前記複数の反射面で反射された光が入射され入射された光を制御する光制御部材とを備え、前記複数の反射面の前記回転軸に対する角度がそれぞれ異なり前記光制御部材に入射される光の入射位置が前記回転リフレクタの回転位置に応じて変化されるようにされたものである。
【０００９】
これにより、回転リフレクタの各反射面で反射されたそれぞれの光が光制御部材の異なる位置に入射される。
【００１０】
第２に、上記した本発明に係る車輌用灯具においては、前記光源が回転リフレクタの回転位置に応じて点消灯又は調光することが望ましい。
【００１１】
これにより、光が断続的に照射される。
【００１２】
第３に、上記した本発明に係る車輌用灯具においては、前記光制御部材は固定リフレクタであることが望ましい。
【００１３】
これにより、回転リフレクタで反射された光が固定リフレクタによって制御される。
【００１４】
第４に、上記した本発明に係る車輌用灯具においては、前記光制御部材は入射された光が照射方向において水平線よりも下側に集光されるように光を制御することが望ましい。
【００１５】
これにより、水平線よりも下側へ向けて光が照射される。
【００１６】
第５に、上記した本発明に係る車輌用灯具においては、前記各反射面で反射され前記光制御部材によって制御されて照射領域に照射された光が、前記照射領域において前記各反射面ごとにそれぞれ直線状にされたことが望ましい。
【００１７】
これにより、照射位置の異なる複数の直線状の光が照射領域に照射される。
【発明の効果】
【００１８】
本発明によれば、複数の反射面の回転軸に対する角度がそれぞれ異なり光制御部材に入射される光の入射位置が回転リフレクタの回転位置に応じて変化されるため、回転リフレクタが回転されたときに照射される光の方向及び範囲が限定されず、回転リフレクタで反射されて照射される光の方向及び範囲に関する自由度の向上を図ることができる。
【図面の簡単な説明】
【００１９】
【図１】図２乃至図１５と共に本発明車輌用灯具の実施の形態を示すものであり、本図は、車輌用灯具の概略正面図である。
【図２】車輌用灯具の概略縦断面図である。
【図３】灯具ユニットの斜視図である。
【図４】第１の反射面で反射された光の経路を示す一部を断面にして示す概略側面図である。
【図５】第２の反射面で反射された光の経路を示す一部を断面にして示す概略側面図である。
【図６】第３の反射面で反射された光の経路を示す一部を断面にして示す概略側面図である。
【図７】第４の反射面で反射された光の経路を示す一部を断面にして示す概略側面図である。
【図８】第５の反射面で反射された光の経路を示す一部を断面にして示す概略側面図である。
【図９】第６の反射面で反射された光の経路を示す一部を断面にして示す概略側面図である。
【図１０】第１の反射面が右側に傾斜された場合の光の経路を示す概略正面図である。
【図１１】第１の反射面が下方を向いている場合の光の経路を示す概略正面図である。
【図１２】第１の反射面が左側に傾斜された場合の光の経路を示す概略正面図である。
【図１３】光源が点灯したときに照射領域に照射される光を示す模式図である。
【図１４】光源が点消灯したときに照射領域に照射される光を示す模式図である。
【図１５】光源の点消灯のタイミングが制御されたときに照射領域に照射される光を示す模式図である。
【発明を実施するための形態】
【００２０】
以下に、本発明車輌用灯具を実施するための形態について添付図面を参照して説明する。
【００２１】
車輌用灯具１は第１の灯具ユニット２と第２の灯具ユニット１００と第３の灯具ユニット２００を有している（図１及び図２参照）。第１の灯具ユニット２は、例えば、描画用の灯具ユニットとして設けられ、第２の灯具ユニット１００は、例えば、ハイビーム用の灯具ユニットとして設けられ、第３の灯具ユニット２００は、例えば、ロービーム用の灯具ユニットとして設けられている。尚、車輌用灯具１においては、第１の灯具ユニット２がロービーム用の灯具ユニットとして設けられていてもよく、また、描画用及びハイビーム用の灯具ユニットとして兼用されて設けられていてもよく、これらの場合には第２の灯具ユニット１００又は第３の灯具ユニット２００が設けられない。
【００２２】
車輌用灯具１は、一方に開口されたランプボディ３とランプボディ３の開口側の端部に取り付けられたカバー４とによって構成された灯具外筺５の内部が灯室６として形成されている。灯室６には第１の灯具ユニット２、第２の灯具ユニット１００及び第３の灯具ユニット２００が左右に離隔して配置されている。
【００２３】
第１の灯具ユニット２、第２の灯具ユニット１００及び第３の灯具ユニット２００はそれぞれ図示しない部材によって灯具外筺５の内部において支持されている。
【００２４】
第１の灯具ユニット２は光源７、回転リフレクタ８及び光制御部材９を有しており（図２及び図３参照）、それぞれ図示しない部材によって灯具外筺５の内部において支持されている。
【００２５】
光源７としては、例えば、半導体レーザ（ＬＤ：Laser Diode）又は発光ダイオード（ＬＥＤ：Light Emitting Diode）が用いられている。光源７は回転リフレクタ８へ向けて光を上方へ向けて出射し、回転リフレクタ８の回転動作に応じて点灯され又は点消灯される。
【００２６】
回転リフレクタ８は光源７の上方に配置されている。回転リフレクタ８は厚みの薄い、例えば、略正六角形の板状の部材からなり、厚み方向が前後方向とされており、図示しない回転駆動機構により前後方向に延びる回転軸Ａを支点として回転される。
【００２７】
回転リフレクタ８の外周面はそれぞれ第１の反射面８ａ、第２の反射面８ｂ、第３の反射面８ｃ、第４の反射面８ｄ、第５の反射面８ｅ及び第６の反射面８ｆとして形成され、光源７から出射された光をそれぞれ所定の方向へ反射する。
【００２８】
各反射面８ａ、８ｂ、８ｃ、８ｄ、８ｅ、８ｆは周方向においてこの順に位置されている。
【００２９】
各反射面８ａ、８ｂ、８ｃ、８ｄ、８ｅ、８ｆは回転軸Ａに対してそれぞれ異なる角度で傾斜されている（図４乃至図９参照）。第１の反射面８ａの回転軸Ａに対する傾斜角度が最も小さく、第６の反射面８ｆの回転軸Ａに対する傾斜角度が最も大きく、第２の反射面８ｂ、第３の反射面８ｃ、第４の反射面８ｄ、第５の反射面８ｅの順に回転軸Ａに対する傾斜角度が大きくされている。
【００３０】
光源７から出射された光は回転リフレクタ８の回転位置に応じて各反射面８ａ、８ｂ、８ｃ、８ｄ、８ｅ、８ｆのいずれかで反射され、各反射面８ａ、８ｂ、８ｃ、８ｄ、８ｅ、８ｆで反射された光はそれぞれ光制御部材９の各位置に入射される。
【００３１】
光制御部材９は光源７の前方又は後方に配置されており回転リフレクタ８の下方に配置されている。尚、以下においては、光制御部材９が光源７の前方に配置されているものとして説明する。
【００３２】
光制御部材９は前斜め上方を向く面を有し、この面が制御面１０として形成されている（図３参照）。光制御部材９は回転リフレクタ８で反射された光の回転リフレクタ８の周方向における出射角度の範囲を狭めるように制御している。
【００３３】
制御面１０は上方側から順に形成された六つの横長の領域を有し、これらの各領域が順に第１の制御領域１０ａ、第２の制御領域１０ｂ、第３の制御領域１０ｃ、第４の制御領域１０ｄ、第５の制御領域１０ｅ及び第６の制御領域１０ｆとして形成されている。尚、図３の制御面１０に付した点線は、各制御領域１０ａ、１０ｂ、１０ｃ、１０ｄ、１０ｅ、１０ｆの位置の理解を容易にするために便宜的に付したものである。
【００３４】
上記のように構成された第１の灯具ユニット２において、光源７から光が出射されると、出射された光は回転リフレクタ８の回転位置に応じていずれかの反射面８ａ、８ｂ、８ｃ、８ｄ、８ｅ、８ｆで反射される（図３乃至図９参照）。反射面８ａ、８ｂ、８ｃ、８ｄ、８ｅ、８ｆで反射された光は制御面１０への反射光Ｅ（Ｅ１〜Ｅ６）としてそれぞれ制御領域１０ａ、１０ｂ、１０ｃ、１０ｄ、１０ｅ、１０ｆに入射され、各制御領域１０ａ、１０ｂ、１０ｃ、１０ｄ、１０ｅ、１０ｆで反射されて照射光Ｒ（Ｒ１〜Ｒ６）として前方へ向けて照射される。
【００３５】
具体的には、第１の反射面８ａで反射された光は反射光Ｅ１として第１の制御領域１０ａに入射され、第１の制御領域１０ａで反射されて照射光Ｒ１として前方へ向けて照射される（図３及び図４参照）。第２の反射面８ｂで反射された光は反射光Ｅ２として第２の制御領域１０ｂに入射され、第２の制御領域１０ｂで反射されて照射光Ｒ２として前方へ向けて照射される（図５参照）。第３の反射面８ｃで反射された光は反射光Ｅ３として第３の制御領域１０ｃに入射され、第３の制御領域１０ｃで反射されて照射光Ｒ３として前方へ向けて照射される（図６参照）。第４の反射面８ｄで反射された光は反射光Ｅ４として第４の制御領域１０ｄに入射され、第４の制御領域１０ｄで反射されて照射光Ｒ４として前方へ向けて照射される（図７参照）。第５の反射面８ｅで反射された光は反射光Ｅ５として第５の制御領域１０ｅに入射され、第５の制御領域１０ｅで反射されて照射光Ｒ５として前方へ向けて照射される（図８参照）。第６の反射面８ｆで反射された光は反射光Ｅ６として第６の制御領域１０ｆに入射され、第６の制御領域１０ｆで反射されて照射光Ｒ６として前方へ向けて照射される（図９参照）。
【００３６】
上記のように、光源７から回転リフレクタ８へ向けて光が出射されたときには、回転リフレクタ８が回転軸Ａを支点として回転されているため、各反射面８ａ、８ｂ、８ｃ、８ｄ、８ｅ、８ｆの光源７に対する向きが漸次変化される。従って、各反射面８ａ、８ｂ、８ｃ、８ｄ、８ｅ、８ｆに入射された光はその入射角度に応じた角度で反射されてそれぞれ同じ制御領域１０ａ、１０ｂ、１０ｃ、１０ｄ、１０ｅ、１０ｆにおける異なる位置に入射される。すなわち、各反射光Ｅ１、Ｅ２、Ｅ３、Ｅ４、Ｅ５、Ｅ６はそれぞれ制御領域１０ａ、１０ｂ、１０ｃ、１０ｄ、１０ｅ、１０ｆに左右方向において連続的又は断続的に入射される（図１０乃至図１２参照）。
【００３７】
例えば、第１の反射面８ａが右側に傾斜されている場合には、反射光Ｅ１は第１の制御領域１０ａの右寄りの部分に入射される（図１０参照）。第１の反射面８ａが傾斜されずに下方を向いている場合には、反射光Ｅ１は第１の制御領域１０ａの左右方向における中央部に入射される（図１１参照）。第１の反射面８ａが左側に傾斜されている場合には、反射光Ｅ１は第１の制御領域１０ａの左寄りの部分に入射される（図１２参照）。
【００３８】
図示は省略するが、同様に反射面８ｂ、８ｃ、８ｄ、８ｅ、８ｆで反射された反射光Ｅ２、Ｅ３、Ｅ４、Ｅ５、Ｅ６についても、各反射面８ｂ、８ｃ、８ｄ、８ｅ、８ｆが右側に傾斜されている場合、下方を向いている場合、左側に傾斜されている場合には、それぞれ制御領域１０ｂ、１０ｃ、１０ｄ、１０ｅ、１０ｆの右寄りの部分、左右方向における中央部、左寄りの部分に入射される。
【００３９】
各照射光Ｒ１、Ｒ２、Ｒ３、Ｒ４、Ｒ５、Ｒ６は互いに略平行な状態で前方に照射され、照射方向（前方）において、例えば、水平線Ｈよりも下側に位置する照射領域Ｘに集光するように光制御部材９によって制御される（図１３乃至図１５参照）。
【００４０】
図１３に示す水平線Ｓ１、Ｓ２、Ｓ３、Ｓ４、Ｓ５、Ｓ６は、例えば、光源７が点灯された状態において回転リフレクタ８が第１の反射面８ａから第６の反射面８ｆまで１回転された場合に、この順に各照射光Ｒ１、Ｒ２、Ｒ３、Ｒ４、Ｒ５、Ｒ６が照射された状態を示している。
【００４１】
車輌用灯具１にあっては、回転リフレクタ８の回転が高速で連続して行われ、上記した走査線状の光が照射領域Ｘに極めて短時間に繰り返し連続して照射される。そのため、照射領域Ｘに照射された走査線状の光が残像として視認され、照射領域Ｘに一定量の光が疑似的に連続して照射された状態にされる。このような光源７が点灯された状態において回転リフレクタ８が高速で回転される場合には、第１の灯具ユニット２が、例えば、ロービーム用の灯具ユニットやハイビーム用の灯具ユニットとして用いられる。また、光源７が点灯された場合には、第１の灯具ユニット２がストップランプ、テールランプ、コーナーリングランプ等の各種の標識灯ユニットとして用いられてもよい。
【００４２】
一方、光源７が点消灯された状態において回転リフレクタ８が第１の反射面８ａから第６の反射面８ｆまで１回転された場合には、照射領域Ｘに複数の点状の光が断続的に照射される（図１４参照）。図１４に示す複数の点状の光の集合としての水平線Ｓ１、Ｓ２、Ｓ３、Ｓ４、Ｓ５、Ｓ６（図１４中の六つの点線枠参照）は、この順に各照射光Ｒ１、Ｒ２、Ｒ３、Ｒ４、Ｒ５、Ｒ６が照射された状態を示している。
【００４３】
車輌用灯具１にあっては、光源７の点消灯が回転リフレクタ８の回転位置に応じて制御された状態において、回転リフレクタ８の回転が高速で連続して行われ、上記した複数の点状の光が照射領域Ｘに極めて短時間に照射される。そのため、図１５に示すように、照射領域Ｘに任意のタイミングで照射された複数の点状の光の集合が所定の図形や記号や文字等、例えば、矢印記号Ｐの残像として視認される。このような光源７の点消灯のタイミングが制御された状態において回転リフレクタ８が高速で回転される場合には、第１の灯具ユニット２が図形や記号や文字等を表示する描画用の灯具ユニットとして用いられる。これらの図形や記号や文字は、例えば、車輌の運転手や歩行者等において標識として視認される。
【００４４】
以上に記載した通り、車輌用灯具１にあっては、第１の反射面８ａ、第２の反射面８ｂ、第３の反射面８ｃ、第４の反射面８ｄ、第５の反射面８ｅ及び第６の反射面８ｆの回転軸Ａに対する角度がそれぞれ異なり光制御部材９に入射される反射光Ｅ（Ｅ１〜Ｅ６）の入射位置が回転リフレクタ８の回転位置に応じて変化される。
【００４５】
従って、光源７から出射された光を反射する回転リフレクタ８が回転されたときに反射光Ｅ（Ｅ１〜Ｅ６）の方向及び範囲が限定されることがなく、回転リフレクタ８で反射されて照射される光の方向及び範囲に関する自由度の向上を図ることができる。
【００４６】
また、車輌用灯具１において、光源７が回転リフレクタ８の回転位置に応じて点消灯されることにより、光の照射方向において図形や記号や文字等を描写することができ、車輌の運転手や歩行者等に対し注意を喚起して車輌の走行時における安全性の向上を図ることができる。
【００４７】
さらに、車輌用灯具１において、光制御部材９として固定リフレクタを用いることにより、簡単な構成で光の制御を容易に行うことができる。尚、光制御部材９は光を内面反射するレンズ部材であってもよく、光制御部材９としてレンズ部材を用いた場合においても固定リフレクタを用いた場合と同様の効果を奏する。
【００４８】
さらに、上記したように、光制御部材９によって入射された反射光Ｅ（Ｅ１〜Ｅ６）が照射光Ｒ（Ｒ１〜Ｒ６）として水平線Ｈよりも下側に集光するように制御されることにより、光を用途に応じて必要な範囲に照射した上で先行車輌や対向車輌の運転手等に対する眩惑光の発生を防止することができる。
【００４９】
加えて、車輌用灯具１にあっては、各反射面８ａ、８ｂ、８ｃ、８ｄ、８ｅ、８ｆで反射され光制御部材９によって制御されて照射領域Ｘに照射された光が、照射領域Ｘにおいて各反射面８ａ、８ｂ、８ｃ、８ｄ、８ｅ、８ｆごとにそれぞれ直線状にされているため、光の照射方向や照射範囲の制御及び点消灯の制御を容易に行うことができる。
【００５０】
尚、上記には、回転リフレクタ８が六つの反射面８ａ、８ｂ、８ｃ、８ｄ、８ｅ、８ｆを有している例を示したが、回転リフレクタに形成される反射面の数は六つに限定されることはなく複数であれば任意である。この場合に、反射面の数が少ない場合には回転リフレクタ８の周方向における反射光の出射角度の範囲は広がり、反射面の数が多い場合には回転リフレクタ８の周方向における反射光の出射角度の範囲は狭まるが、光制御部材９を用いることにより照射領域Ｘの大きさを制御することができる。
【００５１】
また、回転リフレクタ８の反射面の数が少ない場合には、回転リフレクタ８の各反射面同士の連続部分（角部）が少なくなるため、光源７から出射され回転リフレクタ８で反射される光のロスが少なくなり、照射領域Ｘへの光の照射効率を高くすることができ、周方向における分解能も高くすることができる。従って、回転リフレクタ８に形成する反射面の数は、必要とされる光の照射範囲や解像度、灯具ユニットの用途等に応じて適宜に決定すればよい。
【００５２】
また、上記には、光源７が回転リフレクタ８の回転動作に応じて点灯され又は点消灯される例を示したが、例えば、光源７が回転リフレクタ８の回転動作に応じて調光され光が照射されてもよい。
【００５３】
また、上記には、光が水平線Ｈより下側に照射される例を示したが、光が水平線Ｈの上下にまたがって又は水平線Ｈの上方に照射されるように光制御部材９で制御されてもよい。この場合には、車輌用灯具１がハイビーム用の灯具ユニット又は上方に位置する標識等を照射するオーバーヘッドランプ用の灯具ユニット等として用いられる。
【符号の説明】
【００５４】
１…車輌用灯具、２…灯具ユニット、３…ランプボディ、４…カバー、５…灯具外筺、７…光源、８…回転リフレクタ、８ａ…第１の反射面、８ｂ…第２の反射面、８ｃ…第３の反射面、８ｄ…第４の反射面、８ｅ…第５の反射面、８ｆ…第６の反射面、９…光制御部材、Ａ…回転軸、Ｘ…照射領域
【図１】
2014207167.tif 000003
【図２】
2014207167.tif 000004
【図３】
2014207167.tif 000005
【図４】
2014207167.tif 000006
【図５】
2014207167.tif 000007
【図６】
2014207167.tif 000008
【図７】
2014207167.tif 000009
【図８】
2014207167.tif 000010
【図９】
2014207167.tif 000011
【図１０】
2014207167.tif 000012
【図１１】
2014207167.tif 000013
【図１２】
2014207167.tif 000014
【図１３】
2014207167.tif 000015
【図１４】
2014207167.tif 000016
【図１５】
2014207167.tif 000017